(57)【要約】【課題】画像記録装置において、記録部へアクセス可能な経路を広くするとともに、装置の機能部分のレイアウトの制約を軽減する手段を提供する。【解決手段】複合機１０は、シートを搬送する第１搬送ローラ対５４及び第２搬送ローラ対５５、搬送されるシートに画像を記録する記録部２４が配置された筐体１４と、第１状態において筐体１４の上方に配置された筐体１６と、筐体１４に設けられており、上下方向７において第１状態の筐体１６と一部が重複して配置された操作パネル４６と、筐体１６を、第１状態と、筐体１６の一部が操作パネル４６の真上に位置する第２状態とに移動可能に筐体１４と連結する連結部材１０１と、を具備する。【選択図】図４
2015063083.tif 000002
【特許請求の範囲】
【請求項１】
少なくとも、シートを搬送する搬送部、及び当該搬送部によって搬送されるシートに画像を記録する記録部が配置された第１筐体と、
第１状態において上記第１筐体の上方に配置された第２筐体と、
上記第１筐体に設けられており、上下方向において上記第１状態の上記第２筐体と少なくとも一部が重複して配置された重複部と、
上記第２筐体を、上記第１状態、及び上記第２筐体の少なくとも一部が上記重複部の真上に位置する第２状態に移動可能に上記第１筐体と連結する連結部材と、を具備する画像記録装置。
【請求項２】
上記記録部と上記重複部とは、上記第１筐体に対して上記第２筐体が移動する方向の相反する側にそれぞれが配置されており、上記第２筐体は、上記第２状態において上記重複部側へ移動するものである請求項１に記載の画像記録装置。
【請求項３】
上記第２筐体は、上記第１状態において上記記録部の上方を覆っており、上記第２状態において上記記録部の上方を開放している請求項２に記載の画像記録装置。
【請求項４】
上記搬送部及び上記記録部の動作を制御するための制御基板が上記第１筐体に設けられており、
上記第２筐体は、上記第１状態及び上記第２状態において上記制御基板の上方を覆っている請求項３に記載の画像記録装置。
【請求項５】
上記連結部材は、上記第１筐体に対して上記第２筐体が移動する方向と直交する方向の両側に配置されて、上記第１筐体及び上記第２筐体に回動可能に連結されたリンクである請求項１から４のいずれかに記載の画像記録装置。
【請求項６】
上記第２状態の第２筐体は、上記重複部及び上記第１筐体に支持される請求項５に記載の画像記録装置。
【請求項７】
上記連結部材は、上記第１筐体に対して上記第２筐体が移動する方向に並んで配置された平行リンクであり、
上記重複部側に配置された連結部材の長手方向の長さが、上記記録部側に配置された連結部材の長手方向の長さより長い請求項５に記載の画像記録装置。
【請求項８】
上記第２筐体は、スキャナ部の筐体である請求項１から７のいずれかに記載の画像記録装置。
【請求項９】
上記重複部は、入力を受け付ける入力部または情報を表示する表示部の少なくともいずれか一方を有するパネルである請求項１から８のいずれかに記載の画像記録装置。
【請求項１０】
上記第１筐体に対して上記第２筐体が移動する方向における上記重複部と反対側に、上記搬送部へシートを案内するシートトレイが上記第１筐体に設けられている請求項１から９のいずれかに記載の画像記録装置。
【発明の詳細な説明】
【技術分野】
【０００１】
本発明は、記録部を有する第１筐体の上方に第２筐体が設けられた画像記録装置に関する。
【背景技術】
【０００２】
従来より、スキャナ機能及びプリント機能を有する複合機が知られている。この複合機として、スキャナ機能を有するスキャナ部の筐体が、プリント機能を有するプリント部の筐体の上方に配置された構成が知られている。プリント部において、メンテナンスや紙詰まりの解消のために、ユーザが記録部へアクセス可能な経路が設けられる必要がある。そのための構成として、プリント部の筐体に対して、スキャナ部の筐体が回動したり、スライドしたりする構成が公知である（特許文献１，２）。
【先行技術文献】
【特許文献】
【０００３】
【特許文献１】特開２００４−３５４８３２号公報
【特許文献２】特開平１０−２４７０５１号公報
【発明の概要】
【発明が解決しようとする課題】
【０００４】
プリント部の筐体に対してスキャナ部の筐体が回動する構成では、記録部が回動軸付近に配置されていると、スキャナ部の筐体が回動可能な角度を大きくしなければ、記録部の上方のスペースを広くできないという問題があった。一方、プリント部の筐体に対してスキャナ部の筐体がスライドする構成では、スキャナ部の筐体がスライドする方向には装置の機能部分を配置できないというレイアウトの制約があった。
【０００５】
本発明は、上記問題に鑑みてなされたものであり、その目的は、画像記録装置において、記録部へアクセス可能な経路を広くするとともに、装置の機能部分のレイアウトの制約を軽減する手段を提供することにある。
【課題を解決するための手段】
【０００６】
(1)  本発明に係る画像記録装置は、少なくとも、シートを搬送する搬送部、及び当該搬送部によって搬送されるシートに画像を記録する記録部が配置された第１筐体と、第１状態において上記第１筐体の上方に配置された第２筐体と、上記第１筐体に設けられており、上下方向において上記第１状態の上記第２筐体と少なくとも一部が重複して配置された重複部と、上記第２筐体を、上記第１状態、及び上記第２筐体の少なくとも一部が上記重複部の真上に位置する第２状態に移動可能に上記第１筐体と連結する連結部材と、を具備する。
【０００７】
第２筐体が第２状態にされることにより、第１筐体の上方が開放されて記録部へアクセスできる。第２状態において、第２筐体の少なくとも一部が重複部の真上に位置するので、第２筐体と上下方向に重複する位置に重複部を配置することができる。
【０００８】
(2)  上記記録部と上記重複部とは、上記第１筐体に対して上記第２筐体が移動する方向の相反する側にそれぞれが配置されており、上記第２筐体は、上記第２状態において上記重複部側へ移動するものであってもよい。
【０００９】
これにより、第２筐体が第２状態にされたときに、記録部へアクセスする側が広く開放される。
【００１０】
(3)  上記第２筐体は、上記第１状態において上記記録部の上方を覆っており、上記第２状態において上記記録部の上方を開放していてもよい。
【００１１】
これにより、第２筐体が第２状態にされたときに、記録部の上方が最も広く開放される。
【００１２】
(4)  上記搬送部及び上記記録部の動作を制御するための制御基板が上記第１筐体に設けられており、上記第２筐体は、上記第１状態及び上記第２状態において上記制御基板の上方を覆っていてもよい。
【００１３】
これにより、第２筐体が第２状態にされても、ユーザが制御基板へアクセスすることを防止できる。
【００１４】
(5)  上記連結部材は、上記第１筐体に対して上記第２筐体が移動する方向と直交する方向の両側に配置されて、上記第１筐体及び上記第２筐体に回動可能に連結されたリンクであってもよい。
【００１５】
これにより、簡易な構成で連結部材が実現される。
【００１６】
(6)  上記第２状態の第２筐体は、上記重複部及び上記第１筐体に支持されてもよい。
【００１７】
これにより、第２筐体が第２状態において安定する。
【００１８】
(7)  上記連結部材は、上記第１筐体に対して上記第２筐体が移動する方向に並んで配置された平行リンクであり、上記重複部側に配置された連結部材の長手方向の長さが、上記記録部側に配置された連結部材の長手方向の長さより長くてもよい。
【００１９】
これにより、第２筐体が第１状態及び第２状態へ円滑に移動する。
【００２０】
(8)  上記第２筐体は、スキャナ部の筐体であってもよい。
【００２１】
(9)  上記重複部は、入力を受け付ける入力部または情報を表示する表示部の少なくともいずれか一方を有するパネルであってもよい。
【００２２】
(10)  上記第１筐体に対して上記第２筐体が移動する方向における上記重複部と反対側に、上記搬送部へシートを案内するシートトレイが上記第１筐体に設けられていてもよい。
【００２３】
これにより、シートトレイと干渉することなく第２筐体が移動できる。
【発明の効果】
【００２４】
本発明に係る画像記録装置によれば、記録部へアクセス可能な経路を広くするとともに、装置の機能部分のレイアウトの制約を軽減することができる。
【図面の簡単な説明】
【００２５】
【図１】図１は、筐体１６が第１状態の複合機１０の斜視図である。
【図２】図２は、筐体１６が第１状態の複合機１０の内部構成を示す断面図である。
【図３】図３は、筐体１６が第１状態の複合機１０の側面図である。
【図４】図４は、筐体１６が第２状態の複合機１０の側面図である。
【図５】図５は、筐体１６が第２状態の複合機１０の変形例を示す側面図である。
【図６】図６は、筐体１６が第２状態の複合機１０の変形例を示す側面図である。
【発明を実施するための形態】
【００２６】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０（本発明の画像記録装置の一例）が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２７】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。
【００２８】
プリンタ部１１は、前面に開口１３が形成された筐体１４を有している。また、各種サイズの記録用紙を載置可能な給送トレイ２０及び排出トレイ２１が、開口１３から前後方向８に挿抜可能である。筐体１４が、第１筐体に相当する。
【００２９】
図２に示されるように、プリンタ部１１は、給送トレイ２０から記録用紙を給送する給送部１５、記録用紙に画像を記録する記録部２４、第１搬送ローラ対５４、及び第２搬送ローラ対５５、制御基板９５などを備えている。
【００３０】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、スキャナ部１２を上方として、プリンタ部１１の筐体１４及びスキャナ部１２の筐体１６が一体となって、複合機１０の概ね直方体形状の外形を形成している。筐体１４の上部は、筐体１４の内部へアクセスするために開口されている。筐体１６は、筐体１４の直上に積み重なるように配置されて、筐体１４の開口を塞いでいる。筐体１６が、第２筐体に相当する。
【００３１】
図２に示されるように、スキャナ部１２は、フラットベッドスキャナである。筐体１６の内部には、原稿の画像を光学的に読み取り可能なイメージセンサ３４が設けられている。筐体１６の上面には原稿が載置されるプラテンガラス３０が設けられている。プラテンガラス３０は、原稿カバー１７によって覆われている。図１及び図２では、プラテンガラス３０が原稿カバー１７によって覆われた状態が示されている。
【００３２】
原稿カバー１７は、筐体１６の後面側に連結されており、左右方向９に沿った回動軸周りに回動可能である。図１及び図２に示されるように、原稿カバー１７は、筐体１６の上面に当接することによって、プラテンガラス３０を覆った状態に維持される。図１及び図２に示される状態から、原稿カバー１７の前面側が上方へ持ち上げられることによって、原稿カバー１７が回動されてプラテンガラス３０が露出される。なお、原稿カバー１７には、画像読み取りを行う複数枚の原稿を１枚ずつピックアップして搬送する自動原稿搬送装置（ＡＤＦ）が設けられていてもよい。
【００３３】
複合機１０の前面であって開口１３の上方には、操作パネル４６が設けられている。操作パネル４６は、平板形状のパネルであって、最大面積となる面が複合機１０の前面側に露出するように配置されている。操作パネル４６の左右方向９に沿った長さは、筐体１４及び筐体１６の左右方向９に沿った長さより短い。また、操作パネル４６の左右方向９の両端の位置は、筐体１４及び筐体１６の左右方向９の両端の位置より内側にある。また、操作パネル４６の前後方向８に沿った長さは、筐体１４及び筐体１６の前後方向８に沿った長さより十分に短い。なお、各図には示されていないが、操作パネル４６は、上部側の左右方向９の両側において筐体１４に軸支されており、その軸支部分を回動軸として、下部側が前方かつ上方へ回動可能である。操作パネル４６の回動先端が最も下側に位置する状態において、操作パネル４６の前面は、筐体１４及び筐体１６の前面とほぼ同一面をなす。
【００３４】
操作パネル４６は、スキャナ部１２の筐体１６と、上下方向７において一部が重複して配置されている。詳細には、操作パネル４６の上部側が筐体１６の底壁９６より上下方向７の上方に位置している。操作パネル４６の上端は、スキャナ部１２のプラテンガラス３０（図２参照）と上下方向７においてほぼ同じ位置であり、操作パネル４６の上方にスキャナ部１２の原稿カバー１７が配置されている。なお、操作パネル４６と筐体１６とが上下方向７において一部が重複して配置されているとは、操作パネル４６と筐体１６とが、必ずしも上下方向７に沿って並んで配置されている必要はなく、上下方向７の１軸方向においてそれぞれが占める範囲が重複していればよい。したがって、例えば前後方向８又は左右方向９において操作パネル４６と筐体１６との位置が異なっており、操作パネル４６の直上に筐体１６が全く存在しない配置であってもよい。
【００３５】
操作パネル４６の前面側には、複合機１０の電源ボタン４７及びタッチパネル４８が設けられている。タッチパネル４８は、プリンタ部１１及びスキャナ部１２の動作に関する情報を表示し、また、プリンタ部１１及びスキャナ部１２を動作させるための入力を受け付けるための入力表示を表示する。タッチパネル４８への入力は、入力情報として制御基板９５へ出力される。電源ボタン４７及びタッチパネル４８が入力部に相当する。タッチパネル４８が表示部に相当する。
【００３６】
［プリンタ部１１］
以下、プリンタ部１１の詳細な構造が説明される。
【００３７】
［給送部１５］
図２に示されるように、給送部１５は、給送ローラ２５、給送アーム２６、駆動伝達機構２７及び分離パッド２３を備えている。給送部１５は、給送トレイ２０の上方であって記録部２４の下方に設けられている。給送ローラ２５は、給送アーム２６の先端部で軸支されている。給送アーム２６は、基端部に設けられた軸２８を中心として、矢印２９の方向に回動する。これにより、給送ローラ２５は、給送トレイ２０の底面に当接及び離間が可能である。給送ローラ２５は、給送トレイ２０に載置された記録用紙に当接可能である。給送トレイ２０の底面であって、給送ローラ２５と対向する位置には分離パッド２３が設けられている。分離パッド２３は、記録用紙に対して、給送トレイ２０の底面より大きな摩擦係数を有する部材である。
【００３８】
図２に示されるように、給送トレイ２０は、前後方向８の長さが上下方向７の長さよりも長い外形であって、上方が開放された箱形状のものである。給送トレイ２０の前側には、排出トレイ２１が載置されている。給送トレイ２０には、例えば日本工業規格によるＡ４サイズから写真記録に用いられるＬ版などの大小様々なサイズの記録用紙が載置可能である。給送トレイ２０は、筐体１４の開口１３に通ずる内部空間に収容されている。給送トレイ２０は、開口１３を通じて筐体１４に対して前後方向８に沿って進退可能である。
【００３９】
給送ローラ２５には、モータ（不図示）の駆動力が駆動伝達機構２７を通じて伝達される。駆動伝達機構２７は、軸２８に伝達された回転を無端ベルトにより給送ローラ２５の軸へ伝達する。給送ローラ２５が、給送トレイ２０の底面上に積載された記録用紙のうち一番上側の記録用紙に当接された状態で回転することにより、当該記録用紙が搬送経路６５（湾曲路６５Ａ）へ給送される。記録用紙が搬送経路６５へ給送されるとき、記録用紙の先端が、給送トレイ２０の前後方向８の後側に設けられた分離部材３５と当接することにより、下側の記録用紙が一番上側の記録用紙に引き摺られることなく給送トレイ２０に保持される。最も下側の記録用紙は、分離パッド２３との間に生ずる摩擦力によって、直ぐ上の記録用紙が給送されるときに引き摺られることがない。
【００４０】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がってほぼ真っ直ぐに延びて排出トレイ２１に至っている。搬送経路６５は、Ｕターンする湾曲路６５Ａと、真っ直ぐな直線路６５Ｂとに大別される。
【００４１】
湾曲路６５Ａは、シートが通過可能な空間を隔てて対向する外側ガイド部材１８、内側ガイド部材１９、及びガイド部材３１によって形成されている。直線路６５Ｂは、シートが通過可能な空間を隔てて対向する記録部２４及びプラテン４２、並びにガイド部材３２及びガイド部材３３によって形成されている。
【００４２】
給送ローラ２５によって給送トレイ２０から搬送経路６５に給送された記録用紙は、湾曲路６５Ａに案内されて下方から上方へ向かって搬送向きが反転され、直線路６５Ｂに案内されて搬送向きが反転することなく後方から前方へ向かって搬送される。
【００４３】
外側ガイド部材１８は、湾曲路６５Ａにおける外側の案内面を構成する部材である。内側ガイド部材１９は、湾曲路６５Ａにおける内側の案内面を構成する部材である。なお、各案内面は、１つの面で構成されていてもよいし、複数のリブの先端面の群として構成されていてもよい。
【００４４】
ガイド部材３１は、第１搬送ローラ対５４の直上流（後ろ側）において内側ガイド部材１９の上方に配置されている。外側ガイド部材１８及びガイド部材３１は、後述されるバイパス経路６６を区画する部材でもある。
【００４５】
［後面カバー２２］
後面カバー２２は、外側ガイド部材１８を支持して筐体１４の後面の一部を構成する部材である。後面カバー２２は、下側の左右両端において筐体１４に軸支されている。後面カバー２２は、下側の左右方向９に沿った回動軸周りに、上側が後ろ向きへ倒伏するようにして搬送経路６５及び後述されるバイパス経路６６を外部へ開放可能である。
【００４６】
外側ガイド部材１８も、後面カバー２２と同様に、下側の左右両端において筐体１４に軸支されている。後面カバー２２が開放された状態において、外側ガイド部材１８も、下側の左右方向９に沿った回動軸周りに、上側が後ろ向きへ倒伏するようにして開放可能である。外側ガイド部材１８が開放されることによって、湾曲路６５Ａが開放される。後面カバー２２が起立されて閉じられると、外側ガイド部材１８は、後面カバー２２に後方から支持されて起立状態に維持され、内側ガイド部材１９と対向して湾曲路６５Ａを区画する。
【００４７】
［第１搬送ローラ対５４及び第２搬送ローラ対５５］
図２に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。第１搬送ローラ対５４及び第２搬送ローラ対５５が、搬送部に相当する。
【００４８】
［記録部２４］
図２に示されるように、第１搬送ローラ対５４と第２搬送ローラ対５５との間において、記録部２４は、プラテン４２と対向して直線路６５Ｂの上側に設けられている。記録部２４は、キャリッジ４１と記録ヘッド３９とを備えている。キャリッジ４１は、プラテン４２の後側及び前側に設けられたガイドレール４３，４４によって支持されている。ガイドレール４４には、公知のベルト機構が設けられている。キャリッジ４１は、ベルト機構の無端ベルトと連結されており、無端ベルトの回動によってガイドレール４３，４４に沿って左右方向９に移動する。
【００４９】
記録ヘッド３９は、キャリッジ４１に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４１が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００５０】
［バイパス経路６６］
筐体１４の後面において後面カバー２２の上方に開口６４が設けられており、開口６４から第１搬送ローラ対５４へ延びるバイパス経路６６が筐体１４の内部に形成されている。バイパス経路６６は、前後方向８の後方から前方へ斜め下方に向かって延びる経路である。バイパス経路６６の上側の案内面は、ガイド部材３１によって形成されており、下側の案内面は外側ガイド部材１８及び後面カバー２２によって形成されている。搬送経路６５の湾曲路６５Ａ及び直線路６５Ｂは、いずれもバイパス経路６６より下方に配置されている。外側ガイド部材１８及び後面カバー２２は、上側が後ろ向きへ倒伏するように回動することによって、搬送経路６５と共にバイパス経路６６を開放する。
【００５１】
バイパストレイ７０及び手差しトレイ８０に載置された記録用紙は、バイパス経路６６を通じて斜め下方へ案内されて搬送経路６５の直線路６５Ｂに進入し、第１搬送ローラ対５４により搬送されつつ記録部２４によって画像記録が行われて、排出トレイ２１へ排出される。このように、バイパストレイ７０及び手差しトレイ８０に載置された記録用紙は、ほぼ直線形状の経路を搬送される。
【００５２】
［バイパストレイ７０及び手差しトレイ８０］
図２に示されるように、複合機１０の後面側には、バイパストレイ７０及び手差しトレイ８０が設けられている。バイパストレイ７０及び手差しトレイ８０は、給送トレイ２０とは独立して記録用紙を支持するものである。バイパストレイ７０は、手差しトレイ８０を上方として、複合機１０の後面側に上下方向７に並んで配置されている。バイパストレイ７０及び手差しトレイ８０が、それぞれシートトレイに相当する。
【００５３】
図１及び図２に示されるように、スキャナ部１２の筐体１６の後面側には、開口６４を覆うようにして下方へ延びる固定部６８が形成されている。固定部６８は、バイパストレイ７０及び手差しトレイ８０の搬送向き下流側の一部を構成している。固定部６８の上側には、可動部６９が回動可能に設けられている。固定部５８及び可動部６９によって、バイパストレイ７０及び手差しトレイ８０が構成されている。
【００５４】
図２に示されるように、固定部６８の下方には、分離片７２が設けられている。分離片７２は、上下方向７において開口６４の下端周縁と同等の高さに位置されている。分離片７２は、開口６４の下端周縁から斜め下方へ延出されている。分離片７２の上面は、バイパストレイ７０に支持される記録用紙の先端が当接する面である。分離片７２の上面には、複数の歯７３が前後方向８に沿って並んで、上面から上方へ突出されている。歯７３によって、バイパストレイ７０に支持される複数枚の記録用紙の先端が捌かれる。
【００５５】
分離片７２の上方には、開口６４から後方へ離間されて、バイパストレイ７０の支持面７４を形成する支持部材７５が設けられている。支持面７４は、複合機１０が載置される載置面に対して傾斜している。支持面７４は、手差しトレイ８０の支持部材８２の支持面８１とほぼ平行である。
【００５６】
支持部材８２の上端側であって支持面８１と反対側には、給送ローラ７６の駆動軸７７が設けられている。駆動軸７７は、不図示のモータから駆動伝達されて回転する。駆動軸７７には、他端側には給送ローラ７６を回転可能に支持するアーム７８が設けられている。アーム７８は、駆動軸７７から支持部材７５の支持面７４へ向かって下方へ延出されている。アーム７８は、固定部６８において左右方向９の中央に配置されている。アーム７８は駆動軸７７周りに回動自在である。
【００５７】
アーム７８の回動先端側には給送ローラ７６が設けられている。給送ローラ７６は、駆動軸７７と不図示の無端ベルトによって連結されている。駆動軸７７の回転が無端ベルトによって給送ローラ７６に伝達され、給送ローラ７６が回転する。給送ローラ７６が、バイパストレイ７０の支持面７４に支持された記録用紙のうち一番上側の記録用紙に当接された状態で回転することにより、当該記録用紙がバイパス経路６６へ給送される。下側の記録用紙は、分離片７２の歯７３によって捌かれて、一番上側の記録用紙に引き摺られることなくバイパストレイ７０に保持される。
【００５８】
図２に示されるように、可動部６９は、固定部６８の下側に回動可能に連結されている。可動部６９は、図１及び図２に示されるように上下方向７に沿って起立した起立状態と、上下方向７に対して傾斜した倒伏状態との間で回動可能である。起立状態は、バイパストレイ７０及び手差しトレイ８０を使用しないときに、筐体１４の後面側における可動部６９のためのスペースを小さくするための状態である。起立状態である可動部６９の後面は、筐体１４の後面と略平行となっている。倒伏状態は、可動部６９を筐体１４の外側へ向かって斜め上方へ傾斜させることにより、バイパストレイ７０及び手差しトレイ８０を使用可能にするための状態である。可動部６９を起立状態とするか倒伏状態とするかは、ユーザの操作によって任意に選択可能である。
【００５９】
可動部６９の上端には、トレイカバー９４が設けられている。トレイカバー９４は、支持部材８９に対して回動可能に設けられている。トレイカバー９４は、バイパストレイ７０及び手差しトレイ８０の上端側の開口を封止可能な平板形状の部材である。図１及び図２に示されるように、トレイカバー９４は、起立状態の可動部６９においてバイパストレイ７０及び手差しトレイ８０の上端側の開口を覆う位置に回動可能である。また、トレイカバー９４は、倒伏状態の可動部６９においてバイパストレイ７０及び手差しトレイ８０の上端側の開口を開放する位置に回動可能である。この位置において、トレイカバー９４は、バイパストレイ７０の支持面７４を延長するように斜め上方へ延びており、可動部６９の上端から突出した記録用紙の上端側を支持可能である。
【００６０】
［制御基板９５］
プリンタ部１１の筐体１４の内部であって、記録部２４より前側には、制御基板９５が設けられている。制御基板９５は、筐体１４の上側の開口から露出されるように、筐体１４の上部側に配置されている。また、制御基板９５は、筐体１４の上方に筐体１６が覆い被さった状態（図３参照、第１状態）において、筐体１６の底壁９６より上下方向７の下方に位置する。制御基板９５には、ＣＰＵ、ＲＯＭ、ＲＡＭなどが実装されている。制御基板９５は、プリンタ部１１のモータや記録部２４などと電気的に接続されている。制御基板９５から出力される制御信号に基づいて、モータや記録部２４が所定のタイミングで駆動されて、画像記録が行われる。また、制御基板９５は、スキャナ部１２を制御するためのスキャナ制御基板（不図示）や、操作パネル４６への入力に基づいて入力信号を出力するパネル基板（不図示）とも電気的に接続されている。
【００６１】
［連結部材１０１］
図４に示されるように、プリンタ部１１の筐体１４と、スキャナ部１２の筐体１６とは、４つの連結部材１０１によって連結されている。連結部材１０１は、筐体１４及び筐体１６の左右方向９の両側において一対が対向しており、一対の連結部材１０１が前後方向８に離間されて２つ並んで配置されている。各連結部材１０１は、細長な平板形状であり、配置が異なる他は同じ形状である。各連結部材１０１の長さは、筐体１６が操作パネル４６の上方へ移動可能に設定されている。
【００６２】
各連結部材１０１の一端側は、左右方向９を軸方向として筐体１４に回動自在に連結されており、他端側は左右方向９を軸方向として筐体１４に回動自在に連結されている。これら４つの連結部材１０１によって、筐体１４及び筐体１６の左右方向９の両側に、所謂平行リンクが構成される。したがって、筐体１４及び筐体１６の左右方向９の両側それぞれにおいて、２つの連結部材１０１が対称に回動する。各連結部材１０１は、筐体１４の上方を筐体１６が覆う状態（第１状態）において、筐体１４に連結されている一端側を前後方向８の前方とし、筐体１６に連結されている他端側を前後方向８の後方とした回動姿勢となる。
【００６３】
［筐体１６の移動］
スキャナ部１２の筐体１６は、プリンタ部１１の筐体１４に対して、筐体１４の上方に重なった状態から、前後方向８の前方であって上下方向７の上方へ移動可能である。図３に示されるように、プリンタ部１１により画像記録が行われるときや、スキャナ部１２により画像読み取りが行われるときには、筐体１６は、筐体１４の上方に重ねられており、筐体１４の上側の開口を覆っている。この状態が第１状態と称される。第１状態では、筐体１４の開口が筐体１６により塞がれている。つまり、筐体１６により、記録部２４及び制御基板９５の上方が覆われているので、ユーザは、記録部２４や制御基板９５へアクセスできない。また、第１状態では、筐体１６の原稿カバー１７より下側の一部分は、操作パネル４６と上下方向７において重複した位置にある。
【００６４】
紙詰まりの処理やメンテナンスのため、記録部２４は、ユーザにアクセスされる必要がある。記録部２４へアクセスするためには、ユーザは、第１状態の筐体１６を、前後方向８の前方であって上下方向７の上方へ移動させる。筐体１４と筐体１６とは、４つの連結部材１０１により連結されているので、筐体１６の移動に伴って、４つの連結部材１０１が、筐体１６に連結されている他端側を前後方向８の前方、かつ上下方向７の上方となるように回動する。この４つの連結部材１０１の回動によって、筐体１６は、第１状態から平行に円運動をするように移動する。
【００６５】
図４に示されるように、円運動をするように移動した筐体１６が、操作パネル４６の直上に位置して、筐体１６の底壁９６が操作パネル４６の上端と当接することによって、筐体１６の移動端が規制される。この状態が、第２状態と称される。第２状態において、筐体１４と筐体１６とは、上下方向７に離間される。また、筐体１６の前部が、操作パネル４６の直上に位置する。また、筐体１６の後部は、筐体１４の後部、すなわち記録部２４の直上より前方に位置しており、かつ筐体１４の前部、すなわち制御基板９５の直上を覆う位置にある。これにより、ユーザは、筐体１４内の記録部２４へ上方から容易にアクセスできる。また、筐体１４内の制御基板９５へは筐体１６が直上を覆う位置にあるのでアクセスが困難となる。なお、第２状態の筐体１６は、筐体１４又は操作パネル４６により支持されていてもよいし、連結部材１０１の回動範囲が規制されることによって、回動端に位置する連結部材１０１によって支持されていてもよい。
【００６６】
［実施形態の作用効果］
本実施形態によれば、筐体１６が第２状態にされることにより、筐体１４の上方が開放されて記録部２４へアクセスできる。また、第２状態において、筐体１４が操作パネル４６の真上に位置するので、筐体１６と上下方向７に重複する位置に操作パネル４６を配置することができる。これにより、記録部２４へアクセス可能な経路を広くするとともに、装置の機能部分、つまり操作パネル４６のレイアウトの制約を軽減することができる。
【００６７】
また、記録部２４と操作パネル４６とは、筐体１４に対して筐体１６が移動する前後方向８の相反する側にそれぞれが配置されており、筐体１６は、第２状態において操作パネル４６側へ移動するので、筐体１６が第２状態にされたときに、記録部２４へアクセスする側が広く開放される。
【００６８】
また、筐体１６は、第１状態において記録部２４の上方を覆っており、第２状態において記録部２４の上方を開放するので、筐体１６が第２状態にされたときに、記録部２４の上方が最も広く開放される。
【００６９】
また、筐体１６は、第１状態及び第２状態において制御基板９５の上方を覆っているので、筐体１６が第２状態にされても、ユーザが制御基板９５へアクセスすることを防止できる。
【００７０】
また、連結部材１０１は、筐体１４に対して筐体１６が移動する前後方向８と直交する左右方向９の両側に配置されて、筐体１４及び筐体１６に回動可能に連結されたリンクなので、簡易な構成で連結部材１０１が実現される。また、連結部材１０１は、前後方向８に並んで配置された平行リンクなので、筐体１６が円滑に移動できる。
【００７１】
また、筐体１４において前後方向８における操作パネル４６と反対側にバイパストレイ７０及び手差しトレイ８０が設けられているので、バイパストレイ７０及び手差しトレイ８０と干渉することなく筐体１６が移動できる。
【００７２】
［変形例］
なお、本実施形態では、筐体１６はスキャナ部１２の筐体であるが、例えば、スキャナ部１２が設けられておらず、プリンタ部１１のみによって画像記録装置が構成されている実施態様において、筐体１４の上側に上カバーとして配置された筐体１６が、紙詰まりの解消やメンテナンスなどを目的として、筐体１４の上側を開放できるように移動可能な構成であってもよい。
【００７３】
また、本実施形態では、筐体１４の前面側に操作パネル４６が設けられているが、操作パネル４６に代えて、プリンタ部１１の他の機能部分、例えば、各種記録メディアを読み取るためのスロット部や、携帯電話やスマートフォンなどの外部機器と接続するためのＵＳＢインターフェースなどが設けられていてもよい。
【００７４】
また、本実施形態では、筐体１４に対して筐体１６が前後方向８の前側に移動可能な構成が採用されているが、筐体１６が前後方向８の後ろ側に移動可能な構成が採用されてもよい。この場合は、筐体１６は、バイパストレイ７０及び手差しトレイ８０の直上へ移動することとなる。そして、筐体１４において、記録部２４及び制御基板９５の前後方向８の配置が逆になる。すなわち、筐体１４において、前後方向８の前側に記録部２４が配置され、後ろ側に制御基板９５が配置される。
【００７５】
また、本実施形態では、４つの連結部材１０１がすべて同じ形状であるが、例えば、図５に示されるように、操作パネル４６側に配置された２つの連結部材１０１の長手方向の長さが、記録部２４側に配置された２つの連結部材１０１の長手方向の長さより長くてもよい。これにより、第２状態において筐体１６の前部が後部より下方となるように筐体１６が前傾するので、記録部２４の上方が大きく開放される。
【００７６】
また、本実施形態では、４つの連結部材１０１が設けられているが、例えば、図６に示されるように、操作パネル４６側に左右方向９に一対の連結部材１０１のみが設けられていてもよい。筐体１６は、第１状態から第２状態へ移動されるときに、連結部材１０１によって前部が前方且つ上方に持ち上げられる。また、筐体１６の後部は、筐体１４の上面に支持されつつ前方へ摺動する。そして、第２状態の筐体１６は、操作パネル４６及び筐体１４に支持される。このような実施態様によっても、筐体１６が第２状態において安定する。
【００７７】
また、前述された実施形態及び変形例のように、筐体１６は、第１状態において操作パネル４６と上下方向７において重複するすべての部分が、第２状態において操作パネル４６の直上に位置する必要はなく、筐体１６の左右方向９の両側壁のように、左右方向９において操作パネル４６と重複しない箇所は、第２状態においても操作パネル４６と上下方向７において重複した位置にあってもよい
【符号の説明】
【００７８】
１０  複合機（画像記録装置）
１２  スキャナ部
１４  筐体（第１筐体）
１６  筐体（第２筐体）
２４  記録部
４６  操作パネル（重複部）
４７  電源ボタン（入力部）
４８  タッチパネル（入力部、表示部）
５４  第１搬送ローラ対（搬送部）
５５  第２搬送ローラ対（搬送部）
７０  バイパストレイ（シートトレイ）
８０  手差しトレイ（シートトレイ）
９５  制御基板
１０１  連結部材
【図１】
2015063083.tif 000003
【図２】
2015063083.tif 000004
【図３】
2015063083.tif 000005
【図４】
2015063083.tif 000006
【図５】
2015063083.tif 000007
【図６】
2015063083.tif 000008